(57)【特許請求の範囲】
【請求項１】
着用者の腹側に配される腹側部及び着用者の背側に配される背側部とそれらの間に位置する股下部とを有すると共に、該腹側部から該股下部を介して該背側部に延びる縦方向とこれに直交する横方向とを有し、且つ液保持性の吸収性コアを具備し該腹側部から該背側部にわたって延在する吸収性本体と、該吸収性本体の非肌対向面側に配された外装体とを備え、該外装体における該腹側部を構成する腹側外装体及び該背側部を構成する背側外装体それぞれの両側縁部どうしが接合されて、縦方向に延びる一対のサイドシール部が形成されているパンツ型吸収性物品であって、
前記サイドシール部には、前記腹側外装体と前記背側外装体との接合部が縦方向に複数間欠配置されており、
前記接合部は、それぞれ、前記吸収性物品の横方向中央から相対的に遠い横方向外方端と相対的に近い横方向内方端とを有し、該横方向外方端は、前記サイドシール部の縦方向に沿う外側縁と一致し、
前記接合部それぞれの前記横方向内方端は、横方向において互いに同位置に存しており、
前記サイドシール部の前記接合部は、それぞれ、周縁部が肉厚部、該周縁部に囲まれた部分が該周縁部と比較して厚みの薄い肉薄部であり、
前記肉薄部は、平面視長方形形状を有し且つ前記肉厚部に三方を囲まれているパンツ型吸収性物品。
【請求項２】
着用者の腹側に配される腹側部及び着用者の背側に配される背側部とそれらの間に位置する股下部とを有すると共に、該腹側部から該股下部を介して該背側部に延びる縦方向とこれに直交する横方向とを有し、且つ液保持性の吸収性コアを具備し該腹側部から該背側部にわたって延在する吸収性本体と、該吸収性本体の非肌対向面側に配された外装体とを備え、該外装体における該腹側部を構成する腹側外装体及び該背側部を構成する背側外装体それぞれの両側縁部どうしが接合されて、縦方向に延びる一対のサイドシール部が形成されているパンツ型吸収性物品であって、
前記サイドシール部には、前記腹側外装体と前記背側外装体との接合部が縦方向に複数間欠配置されており、
前記接合部は、それぞれ、前記吸収性物品の横方向中央から相対的に遠い横方向外方端と相対的に近い横方向内方端とを有し、該横方向外方端は、前記サイドシール部の縦方向に沿う外側縁と一致し、
前記接合部それぞれの前記横方向内方端は、横方向において互いに同位置に存しており、
前記サイドシール部の前記接合部の少なくとも一部が破断しており、その破断部の横方向一端が、前記サイドシール部の縦方向に沿う外側縁と一致しているパンツ型吸収性物品。
【請求項３】
前記サイドシール部の前記接合部は、縦方向において等間隔で離間し且つ平面視において互いに同形状同寸法である請求項１又は２に記載のパンツ型吸収性物品。
【請求項４】
前記サイドシール部は複数の層が積層してなる積層構造を有し、該層の数が縦方向において部分的に異なる請求項１〜３の何れか一項に記載のパンツ型吸収性物品。
【請求項５】
前記吸収性コアの前記背側外装体と重なる領域は、該吸収性コアの他の領域に比して坪量が小さい請求項１〜４の何れか一項に記載のパンツ型吸収性物品。
【請求項６】
前記外装体は、着用者の肌から相対的に遠い外層シートと相対的に近い内層シートとを具備し、両シートは互いに接合されており、その両シートの外装体接合部が縦方向に複数間欠配置されている請求項１〜５の何れか一項に記載のパンツ型吸収性物品。
【請求項７】
前記外装体は、前記外層シートと前記内層シートとの間に伸長状態で固定され横方向に延びる弾性部材を複数具備し、該弾性部材は、前記サイドシール部と前記吸収性物品の横方向中央との間において両シートに対して不連続に接合されている請求項６に記載のパンツ型吸収性物品。
【請求項８】
前記弾性部材の長手方向の端部は、前記サイドシール部の前記外側縁と同位置に存している請求項７に記載のパンツ型吸収性物品。
【請求項９】
前記腹側外装体又は前記背側外装体における前記サイドシール部と縦方向において同位置に存する部分を縦方向に３等分した場合、その縦方向中央部は、残り２つの部分に比して高応力で横方向に伸びる請求項１〜８の何れか一項に記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部及び着用者の背側に配される背側部とそれらの間に位置する股下部とを有すると共に、該腹側部から該股下部を介して該背側部に延びる縦方向とこれに直交する横方向とを有し、且つ該腹側部から該背側部にわたって延在する吸収性本体と、該吸収性本体の非肌対向面側に配された外装体とを備え、外装体における腹側部を構成する腹側外装体及び背側部を構成する背側外装体それぞれの両側縁部どうしが接合されて、縦方向に延びる一対のサイドシール部、ウエスト開口部及び一対のレッグ開口部が形成されているパンツ型吸収性物品が知られている。斯かる構成のパンツ型吸収性物品におけるサイドシール部は、複数枚のシート材が接着や融着等によって互いに接合されてなる比較的硬い接合部の占める割合が比較的多いため、パンツ型吸収性物品の他の部位に比して柔軟性に乏しく、パンツ型吸収性物品の着用感等を低下させる要因となり得る。またサイドシール部には、パンツ型吸収性物品の着用中にシート材どうしの接合が破壊されることのないような実用上十分な接合強度と、廃棄時等における引き剥がしやすさとのバランスが要求されており、前述した柔軟性を含めて種々の課題がある。
【０００３】
サイドシール部の改良技術に関し、例えば特許文献１には、サイドシール部における腹側外装体と背側外装体との接合部を平面視における大きさが互いに異なる２種類とし、その２種類の接合部を、縦方向即ちサイドシール部の長手方向に交互に配置することが記載されている。特許文献１記載のサイドシール部においては、複数の接合部は、それぞれその一部を、パンツ型吸収性物品の横方向最外方に位置して縦方向に延びるサイドシール部の外側縁に一致させて配置され、且つ該外側縁に沿って延びる連続直線状の接合部を共有することで、１個の連続した接合部をなしている。特許文献１によれば、斯かる構成のサイドシール部の採用により、サイドシール部を備えながらも下着のような外観を有し、サイドシール部が柔らかく肌触りに優れ引き裂きが容易なパンツ型吸収性物品が得られるとされている。
【０００４】
また特許文献２には、サイドシール部を吸収性本体から近い順に、腹側外装体と背側外装体との接合部が縦方向に間欠配置された第１接合領域と、サイドシール部の外側縁に沿って連続的に延びる第２接合領域とに区分し、第１接合領域の接合強度を第２接合領域の接合強度よりも高くすることが記載されている。また、特許文献２記載のパンツ型吸収性物品は、外装体に伸長状態で固定された弾性部材が該外装体から脱落したり位置ずれを起こしたりするといった不都合を解消することを主たる課題としており、斯かる課題の解決の観点から、第１接合領域及び第２接合領域それぞれの接合部の配置は、該弾性部材の配置との関係を考慮して決定されている。
【０００５】
また従来、吸収性本体の縦方向端部からの尿等の排泄液の漏れを防止する等の目的で、吸収性本体の縦方向端部からウエスト開口部付近にわたる幅を有して横方向に延びる防漏性の帯状部材を、外装体の肌対向面側に配置することが行われている。この帯状部材は通常、その横方向端部がサイドシール部に達し、そこでサイドシール部を構成する腹側外装体及び背側外装体それぞれの両側縁部に挟持・接合されるところ、斯かる構成により、サイドシール部の引き裂き性が低下するという問題がある。これに対し、例えば特許文献３には、腹側外装体と背側外装体との接合部が縦方向に複数間欠配置されたサイドシール部において、帯状部材の横方向に延びる端縁を挟んでその上下に位置する接合部の横方向長さを互いに異ならせることで、帯状部材が介在されたサイドシール部の引き裂き性を向上させ得ることが記載されている。
【先行技術文献】
【特許文献】
【０００６】
【特許文献１】特開２０１５−８５０８９号公報
【特許文献２】特開２０１３−１２８５７５号公報
【特許文献３】特開２０１０−１３１１９３号公報
【発明の概要】
【発明が解決しようとする課題】
【０００７】
図１０には、従来のパンツ型吸収性物品におけるサイドシール部の典型的な形態が示されている。図１０に示すサイドシール部９０Ａにおいては、腹側外装体８１と背側外装体８２との接合部９１が縦方向Ｘに複数間欠配置され、各接合部９１は、両外装体８１，８２が互いに接合されていない部位である非接合部９５に包囲されている。複数の接合部９１は互いに同形状同寸法であり、また、両外装体８１，８２それぞれには、横方向Ｙに伸長状態で固定された複数の外装体形成用弾性部材８５が縦方向Ｘに間欠配置されている。このような構成のサイドシール部９０は、フィルム状の樹脂やそれに準ずる形態をなす比較的硬い各接合部９１を非接合部９５がビーム状（梁状）に囲んでおり、サイドシール部９０の横方向Ｙの外側に縦方向Ｘに連続する比較的厚みの厚い均一な厚さの非接合部が存在するため、特に縦方向Ｘに縮みにくい傾向がみられ、そのため着用者の身体の動きに対する追従性の点で改良の余地がある。斯かる課題を解消するべく各接合部９１の面積を小さくすると、サイドシール部９０の接合強度（剥離積分強度）が低下するため、吸収性物品の着用中にサイドシール部９０が意図せずに裂けるおそれがある。このような、トレードオフの関係にあるサイドシール部の諸特性を高レベルで両立させ得る技術は未だ提供されていない。
【０００８】
従って本発明の課題は、着用中に意図せずに裂ける不都合を起こし難く且つ身体追従性及び着用感が改善されたサイドシール部を備えたパンツ型吸収性物品を提供することに関する。
【課題を解決するための手段】
【０００９】
本発明は、着用者の腹側に配される腹側部及び着用者の背側に配される背側部とそれらの間に位置する股下部とを有すると共に、該腹側部から該股下部を介して該背側部に延びる縦方向とこれに直交する横方向とを有し、且つ液保持性の吸収性コアを具備し該腹側部から該背側部にわたって延在する吸収性本体と、該吸収性本体の非肌対向面側に配された外装体とを備え、該外装体における該腹側部を構成する腹側外装体及び該背側部を構成する背側外装体それぞれの両側縁部どうしが接合されて、縦方向に延びる一対のサイドシール部が形成されているパンツ型吸収性物品であって、前記サイドシール部には、前記腹側外装体と前記背側外装体との接合部が縦方向に複数間欠配置されており、前記接合部は、それぞれ、前記吸収性物品の横方向中央から相対的に遠い横方向外方端と相対的に近い横方向内方端とを有し、該横方向外方端は、前記サイドシール部の縦方向に沿う外側縁と一致し、前記接合部それぞれの前記横方向内方端は、横方向において互いに同位置に存しているパンツ型吸収性物品を提供するものである。
【発明の効果】
【００１０】
本発明によれば、着用中に意図せずに裂ける不都合を起こし難く且つ身体追従性及び着用感が改善されたサイドシール部を備えたパンツ型吸収性物品が提供される。
【図面の簡単な説明】
【００１１】
【図１】図１は、本発明の吸収性物品の一実施形態であるパンツ型使い捨ておむつの一例を模式的に示す斜視図である。
【図２】図２は、図１に示すおむつの展開且つ伸長状態における肌対向面側を模式的に示す展開平面図である。
【図３】図３は、図２のＩ−Ｉ線断面を模式的に示す横断面図である。
【図４】図４は、図１に示すおむつの外面を構成する外装体の一部を模式的に示す斜視図である。
【図５】図５（ａ）は、図１に示すおむつにおける一対のサイドシール部のうちの一方を模式的に示す斜視図、図５（ｂ）は、図５（ａ）に示すサイドシール部の外側縁を同図の矢印Ａで示す方向から見た場合を模式的に示す側面図である。
【図６】図６（ａ）及び図６（ｂ）は、それぞれ、図５に示すサイドシール部の接合部が採り得る形態を模式的に示す斜視図である。
【図７】図７は、図１に示すおむつにおけるサイドシール部の積層構造の説明図である。
【図８】図８は、本発明の吸収性物品の他の実施形態における片側のサイドシール部を模式的に示す斜視図（図５（ａ）相当図）である。
【図９】図９（ａ）及び図９（ｂ）は、それぞれ、図８に示すサイドシール部の接合部が採り得る形態を模式的に示す斜視図である。
【図１０】図１０（ａ）は、本発明の範囲外の吸収性物品におけるサイドシール部を模式的に示す斜視図（図５（ａ）相当図）、図１０（ｂ）は、図１０（ａ）に示すサイドシール部の外側縁を同図の矢印Ａで示す方向から見た場合を模式的に示す側面図（図５（ｂ）相当図）である。
【図１１】図１１は、本発明の範囲外の他の吸収性物品におけるサイドシール部を模式的に示す斜視図（図５（ａ）相当図）である。
【発明を実施するための形態】
【００１２】
以下本発明の吸収性物品を、その好ましい実施形態に基づき図面を参照しながら説明する。図１〜図３には、本発明の吸収性物品の一実施形態であるパンツ型使い捨ておむつの一例であるおむつ１の基本構成が示されている。図１及び図２に示すように、おむつ１は、着用状態において着用者の腹側に配される腹側部１Ｆ、背側に配される背側部１Ｒ、及びそれらの間に位置して着用者股間部に配される股下部１Ｍを有すると共に、縦方向Ｘとこれに直交する横方向Ｙとを有する。おむつ１の縦方向Ｘは、腹側部１Ｆから股下部１Ｍを介して背側部１Ｒに延びる方向であり、吸収性本体２の長手方向に一致する。おむつ１における股下部１Ｍは、縦方向Ｘにおけるサイドシール部４０の非形成領域、即ち縦方向Ｘにおいて、腹側外装体３１の縦方向Ｘに沿う両側縁部３１Ｓ，３１Ｓと背側外装体３２の縦方向Ｘに沿う両側縁部３２Ｓ，３２Ｓどうしの接合部が形成されていない領域である。
【００１３】
おむつ１は、液保持性の吸収性コア２３０を具備し、腹側部１Ｆから背側部１Ｒにわたって延在する吸収性本体２と、吸収性本体２の非肌対向面側に配された外装体３とを備える。吸収性本体２は、図２に示すように平面視長方形形状をなし、その長手方向を展開且つ伸長状態におけるおむつ１の縦方向Ｘに一致させて、外装体３の横方向Ｙの中央部に接着剤により接合されている。おむつ１の「展開且つ伸長状態」とは、おむつ１をサイドシール部４０で切り離して展開状態とし、その展開状態のおむつ１を各部の弾性部材を伸長させて設計寸法となるまで拡げた状態をいう。ここでいう設計寸法は、弾性部材の影響を一切排除した状態で吸収性物品を平面状に広げたときの寸法と同じである。
【００１４】
吸収性本体２は、図３に示すように、肌対向面を形成する液透過性の表面シート２１、非肌対向面を形成する液不透過性又は液難透過性の裏面シート２２、及び両シート２１，２２間に介在配置された液保持性の吸収体２３を含んで構成されており、これらが接着剤等の公知の接合手段により一体化されて構成されている。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。裏面シート２２には、例えば、液不透過性のフィルムシート単独の形態と、該フィルムシートの非肌対向面側に外装シートとして例えば不織布を積層配置した形態とがある。吸収体２３は、吸収性材料の集合体からなる液保持性の吸収性コア２３０と、吸収性コア２３０の外面を被覆する紙、不織布等の液透過性のコアラップシート（図示せず）とを含んで構成されている。吸収性コア２３０に用いる吸収性材料としては、吸水性ポリマー、木材パルプや親水化処理された合成繊維等の繊維材料等を用いることができる。
【００１５】
本明細書において、「肌対向面」は、吸収性物品又はその構成部材（例えば外装体３）における、吸収性物品の着用時に着用者の肌側に向けられる面即ち相対的に着用者の肌に近い側であり、「非肌対向面」は、吸収性物品又はその構成部材における、吸収性物品の着用時に肌側とは反対側に向けられる面即ち相対的に着用者の肌から遠い側である。尚、ここでいう「着用時」は、通常の適正な着用位置が維持された状態を意味し、吸収性物品が該着用位置からずれた状態にある場合は含まない。
【００１６】
吸収性本体２の肌対向面における縦方向Ｘに沿う左右両側部には、図２及び図３に示すように、液抵抗性又は撥水性で且つ通気性のシート材から構成された一対の防漏カフ２４，２４が設けられている。防漏カフ２４の自由端部の近傍には糸状の防漏カフ形成用弾性部材２５が少なくとも１本伸長状態で配されている。防漏カフ２４は、伸長状態で配された弾性部材２５がおむつ１の着用状態において収縮することによって起立し、液の側方への流出を阻止する。
【００１７】
外装体３は、図１及び図２に示すように、腹側部１Ｆを構成する腹側外装体３１と背側部１Ｒを構成する背側外装体３２とに分割されている。即ち、本実施形態のおむつ１は、着用者の腹側に配される腹側外装体３１と、着用者の背側に配される背側外装体３２と、両外装体３１，３２に架け渡して固定された縦長の吸収性本体２とを備え、腹側外装体３１の両側縁部３１Ｓ，３１Ｓと背側外装体３２の両側縁部３２Ｓ，３２Ｓとが重ね合わされ接合されて一対のサイドシール部４０，４０が形成されていると共に、ウエスト開口部ＷＨ及び一対のレッグ開口部ＬＨ，ＬＨが形成されている。
【００１８】
外装体３を構成する背側外装体３２は、図２及び図３に示すように、相対的に着用者の肌から遠い側に配されておむつ１の外面を形成する外層シート３３と、該外層シート３３よりも着用者の肌に近い側に配される内層シート３４と、両シート３３，３４間に伸長状態で固定された複数本の糸状又は帯状の外装体形成用弾性部材３５とを具備し、図２に示す如きおむつ１の展開状態において、横方向Ｙに長い長方形形状をなしている。腹側外装体３１も背側外装体３２と同様に、外層シート３３、内層シート３４及び弾性部材３５を含んで構成されている。腹側外装体３１及び背側外装体３２の何れにおいても、各外装体３１，３２を構成する外層シート３３及び内層シート３４は、縦方向Ｘの長さ及び横方向Ｙの長さが互いに同じである。
【００１９】
本実施形態のおむつ１においては、図２に示すように、背側外装体３２は腹側外装体３１に比して縦方向Ｘの長さが長い。そのため図１に示すように、腹側外装体３１及び背側外装体３２それぞれの縦方向Ｘの外方端（ウエスト開口部ＷＨ側の縦方向端）を一致させつつ、両外装体３１，３２の両側縁部３１Ｓ，３２Ｓどうしを重ね合わせた状態では、その重ね合わせ部であるサイドシール部４０の下端（ウエスト開口部ＷＨ側とは反対側の縦方向端）から股下部１Ｍ側に背側外装体３２の縦方向Ｘの内方端側が延出し、延出部３２Ｅが形成される。このように背側外装体３２が腹側外装体３１に比して縦方向Ｘの長さが長いことにより、おむつ１の着用時において脚部の伸縮や体の屈伸などによる変形量が多い臀部が背側外装体３２の延出部３２Ｅによって被覆されるため、良好な身体追従性を外観から印象づけるという効果が奏される。斯かる効果をより確実に奏させるようにする観点から、背側外装体３２の延出部３２Ｅの縦方向Ｘの長さは、背側外装体３２の縦方向Ｘの全長の２０〜４０％が好ましい。
【００２０】
また、本実施形態のおむつ１においては、腹側外装体３１及び背側外装体３２は、それぞれ図２及び図４に示すように、下記（１）ないし（３）の構成を全て具備している。下記（１）ないし（３）の構成を全て具備する外装体３は、例えば、本出願人の先の出願に係る特開２００９−１１８９８６号公報に記載の複合伸縮部の製造方法の形成方法に準じる方法によって製造することができる。
【００２１】
（１）外層シート３３及び内層シート３４は、縦方向Ｘ及び横方向Ｙの両方向において間欠的に配置された複数の外装体接合部３６により互いに接合されている。
（２）外装体形成用弾性部材３５は、外装体接合部３６を通らないように横方向Ｙに伸長状態で配置されている。
（３）両シート３３，３４それぞれが複数本の弾性部材３５に亘って連続して延びる複数本の襞３７を形成している。
【００２２】
外装体３（腹側外装体３１及び背側外装体３２）における外装体接合部３６は、外装体３を構成する外層シート３３と内層シート３４との融着の他、接着剤の塗布によっても形成することができるが、本実施形態のおむつ１においては、両シート３３，３４の融着によって形成されている。そのような両シート３３，３４の融着からなる外装体接合部３６では、不織布等からなるシート３３，３４がフィルム状又はそれに準じた形態をなしている。両シート３３，３４の融着による外装体接合部３６の形成は、熱を伴うエンボス加工、超音波シール加工等の公知の樹脂製シートの融着方法によって実施できる。
【００２３】
外装体３を構成する腹側外装体３１及び背側外装体３２それぞれにおいて、複数の外装体接合部３６は、縦方向Ｘ及び横方向Ｙにそれぞれ列をなすように形成されており、その横方向Ｙに延びる外装体接合部３６の列と弾性部材３５とが縦方向Ｘに交互に配されている。尚、外装体接合部３６の平面視形状は、図示の如き矩形形状に制限されず、円形形状、楕円形状等、任意に設定可能である。そして、自然状態即ち外力を加えない状態において、弾性部材３５が横方向Ｙに収縮して、外層シート３３及び内層シート３４のそれぞれが、各々複数本の弾性部材３５に亘って縦方向Ｘに連続して延びる複数本の襞３７を形成している。本実施形態においては、図４に示すように、横方向Ｙにおいて隣り合う外装体接合部３６，３６間に１本の襞３７が形成されている。
【００２４】
外装体３において複数本の襞３７は、外装体３の伸縮方向に直交する方向の全長に亘って連続している。外装体３の伸縮方向は、弾性部材３５の伸縮方向である横方向Ｙに一致しており、従って、複数本の襞３７はそれぞれ縦方向Ｘの全長に亘って連続している。襞３７は中空であり、その内部は空気が流れる通気路として機能し得る。このように、外装体３即ち腹側外装体３１及び背側外装体３２には、通気路として機能し得る中空の複数の襞３７がそれらの縦方向Ｘの全長に亘って形成されているため、おむつ１は通気性及びクッション性に優れている。また、外装体３の外面に縦方向Ｘに延びる複数の襞３７が横方向Ｙに規則的に整列しているため、おむつ１は外観にも優れている。
【００２５】
尚、腹側外装体３１及び背側外装体３２それぞれにおける吸収性本体２（吸収性コア２３０）と重なる部分には、外装体形成用弾性部材３５の伸縮性の発現が抑制された非伸縮部（図示せず）が形成されており、この非伸縮部においては縦皺が形成されず、襞３７は形成されない。外装体３が吸収性本体２と重なる部分に前記非伸縮部を有していると、吸収性コア２３０を含む吸収性本体２に縦皺を生じさせることなく吸収性本体２の縦方向Ｘの端部を着用者の身体に沿わせることが可能となり、それによって、漏れが効果的に防止されると共に、吸収性本体２に生じた皺の頂部が肌に当たることに起因する跡付き等の不都合が効果的に防止される。前記非伸縮部の形成方法としては、この種の使い捨ておむつにおいて通常用いられている方法を特に制限無く用いることができ、例えば、弾性部材３５を細かく分断して伸縮しないようにする方法、あるいは接着剤等を用いた接合によって弾性部材３５が伸縮しないようにする方法等が挙げられる。
【００２６】
外装体３においては、全ての弾性部材３５が全ての外装体接合部３６を通らないように配置されていることが好ましいが、製造誤差等の理由により意図せずに、一部の弾性部材３５が一部の外装体接合部３６を通ってしまうことがあり得る。しかしその場合でも、複数の外装体接合部３６の大部分、より具体的には、腹側外装体３１及び背側外装体３２それぞれにおける全ての外装体接合部３６の数の７０％以上に相当する数の外装体接合部３６において、弾性部材３５が通っていない場合は、通気性、クッション性、外観等の特性向上といった、外装体３に期待される作用効果が十分に発現される。従って、外装体３に設けられた複数の外装体接合部３６のうちの７０％以上の数の外装体接合部３６を弾性部材３５が通っていない場合には、前記（２）で規定するように、弾性部材３５が外装体接合部３６を通らないように配置されているのとその作用効果において同様である。
【００２７】
外装体３（腹側外装体３１及び背側外装体３２）を構成する外層シート３３及び内層シート３４としては、それぞれ、前述したように外装体接合部３６を融着部とする観点から、樹脂を主成分として形成されているものが好ましく、具体的には例えば、樹脂としてポリエチレン、ポリエチレンテレフタレート、ポリプロピレン等の熱融着性樹脂を含むものが好ましく、特に、不織布、フィルム、不織布とフィルムとのラミネートシート等が好ましい。不織布としては、エアスルー不織布、ヒートロール不織布、スパンレース不織布、スパンボンド不織布、メルトブローン不織布等が挙げられる。
【００２８】
本実施形態のおむつ１においては、図１及び図２に示すように、吸収性本体２の縦方向Ｘの両端部２０，２０の肌対向面が、外装体３（外層シート３３、内層シート３４）とは別体の帯状部材５によって被覆されている。帯状部材５は、横方向Ｙに長い矩形形状をなし、腹側外装体３１及び背側外装体３２それぞれの横方向Ｙの全長にわたって連続している。帯状部材５によって、両外装体３１，３２それぞれにおける、吸収性本体２の縦方向端部２０と縦方向Ｘにおいて同位置にある部分からウエスト開口部ＷＨの近傍にわたる平面視帯状の領域が被覆されている。帯状部材５は、これに対向するおむつ１の他の構成部材、例えば表面シート２１、防漏カフ２４、内層シート３４に対し、ホットメルト型接着剤等の公知の接着剤によって部分的に又は全面的に接合されている。このように帯状部材５が配されていることにより、吸収性本体２の縦方向端部２０からの尿等の排泄液の漏れ防止、吸収性本体２の縦方向端部２０の露出防止による外観良化等の効果が奏される。帯状部材５の縦方向長さ即ち幅は、特に制限されないが通常２０〜６０ｍｍ程度である。帯状部材５としては、強度、熱融着性、防漏性（疎水性）を備えたものが好ましく、例えば、外層シート３３及び内層シート３４として使用可能な各種不織布、該不織布の素材として使用可能な樹脂からなるフィルム状シートなどを用いることができる。
【００２９】
図５には、おむつ１における一対のサイドシール部４０，４０の一方が示されている。サイドシール部４０は、腹側外装体３１と背側外装体３２とがそれらの両側縁部３１Ｓ，３２Ｓにて合掌状に重ね合わされ接合されて形成されており、腹側外装体３１と背側外装体３２との接合部４１を含んで構成されている。サイドシール部４０は、縦方向Ｘに延びる外側縁４０Ｓ１及び内側縁４０Ｓ２を有し、両側縁４０Ｓ１，４０Ｓ２間に接合部４１が配されている。サイドシール部４０の外側縁４０Ｓ１は、おむつ１の横方向Ｙの最外方に位置する縁部であり、内側縁４０Ｓ２は、腹側外装体３１と背側外装体３２とが一体化している部分と一体化していない部分との境界であり、外側縁４０Ｓ１よりも横方向Ｙの内方に位置している。サイドシール部４０は、その両側縁４０Ｓ１，４０Ｓ２に挟まれた領域全体が接合部４１となってはおらず、接合部４１に加えて、腹側外装体３１と背側外装体３２とが接合されていない部位である非接合部４５を有している。
【００３０】
接合部４１は、腹側外装体３１と背側外装体３２との融着、より具体的には両外装体３１，３２を構成する外層シート３３と内層シート３４との融着によって形成されている。このようなシート３３，３４の融着部からなる接合部４１の形成は、熱を伴うエンボス加工、超音波シール加工等の公知の樹脂製シートの融着方法によって実施できる。接合部４１は、シート３３，３４の融着によりフィルム状又はそれに準じた形態をなしており、非接合部４５に比して硬くて厚みが小さい。接合部４１は、柔軟性の点では非接合部４５に劣るが、非接合部４５よりも厚みが小さいため、サイドシール部４０が縦方向Ｘに縮む際の屈曲部として機能しやすいという特徴を有する。
【００３１】
複数の接合部４１は、それぞれ図５（ａ）に示すように、おむつ１の横方向Ｙの中央、即ち、おむつ１を横方向Ｙに二分して縦方向Ｘに延びる仮想中心線ＬＣｙ（図２参照）を基準として、該基準ＬＣｙから相対的に遠い横方向外方端４１０と相対的に近い横方向内方端４１１とを有している。より具体的には本実施形態においては、複数の接合部４１は、それぞれ、平面視長方形形状をなし且つその長手方向を横方向Ｙに一致させてサイドシール部４０に配置されているところ、その長方形形状の接合部４１における相対向する二辺の短辺が、横方向外方端４１０及び横方向内方端４１１となっている。また本実施形態においては、複数の接合部４０は平面視において互いに同形状同寸法である。
【００３２】
本実施形態のおむつ１の主たる特徴の１つとして、サイドシール部４０が下記構成１ないし３の全てを具備する点が挙げられる。サイドシール部４０は、前記構成１ないし３の全てを具備しているため、着用中に意図せずに裂ける不都合を起こし難く且つ身体追従性及び着用感が改善されている。
・構成１：腹側外装体３１と背側外装体３２との接合部４１が縦方向Ｘに複数間欠配置されている（図１及び図５参照）。
・構成２：複数の接合部４１は、それぞれ、おむつ１の横方向Ｙの中央（仮想中心線ＬＣｙ）から相対的に遠い横方向外方端４１０が、サイドシール部４０の縦方向Ｘに沿う外側縁４０Ｓ１と一致している（図５参照）。
・構成３：複数の接合部４１それぞれの横方向内方端４１１は、横方向Ｙにおいて互いに同位置に存している（図５参照）。
【００３３】
前記構成１を具備するサイドシール部４０においては、図５に示すように、相対的に柔軟性が低くて厚みの小さい接合部４１と、相対的に柔軟性が高くて厚みの大きい非接合部４５とが、縦方向Ｘ即ちサイドシール部４０の長手方向に、それらの横方向Ｙの外方端がサイドシール部４０の縦方向Ｘに沿う外側縁と一致するように交互に配置されているため、サイドシール部４０全体として、外層シート３３及び内層シート３４が本来有する柔らかさが実質的に維持されている。また、おむつ１の着用者の動き等に起因して、サイドシール部４０に対してこれを縦方向Ｘに圧縮するような外力が作用した場合には、サイドシール部４０の長手方向に間欠配置された複数の接合部４１が、それぞれ、その外力に応じて横方向Ｙに延びる折曲線に沿って縦方向Ｘに容易に屈曲し得るため、サイドシール部４０は着用者の動きに追従して速やかに縦方向Ｘに縮むことができる。つまり前記構成１の採用によって、柔軟でありながら身体追従性にも優れるサイドシール部４０が得られるようになる。
【００３４】
また前記構成２を具備するサイドシール部４０においては、図５に示すように、各接合部４１の横方向外方端４１０がサイドシール部４０の外側縁４０Ｓ１と一致しているため、各接合部４１における外側縁４０Ｓ１に沿う近傍には非接合部４５は存在しないところ、これにより、接合部４１が屈曲部として機能しやすくなるため、前記構成１による作用効果と相俟って、サイドシール部４０の身体追従性がより一層向上する。
【００３５】
これに対し、例えば図１０に示す従来のサイドシール部９０Ａにおいては、各接合部９１の周囲の全域に接合部９１よりも厚みの大きな非接合部９５が存在しているため、接合部９１が外力に応じて屈曲しようとしても、接合部９１を梁のように包囲する非接合部９５によってその屈曲が妨げられるため、接合部９１が屈曲部として機能し難く、そのため、サイドシール部９０Ａは縦方向Ｘに縮みにくく身体追従性に劣る。
【００３６】
また一般に、接合部４１に隣接する非接合部４５は、接合部４１における腹側外装体３１と背側外装体３２との接合の解除（接合部剥がれ）の起点となり得るところ、前記構成２を具備するサイドシール部４０は、前記構成２を具備しないサイドシール部９０Ａに比して、そのような接合部剥がれの起点となり得る部位が少ないため、おむつ１の着用中に意図せずにサイドシール部４０が裂けるといった不都合を起こし難い。
【００３７】
また前記構成３を具備するサイドシール部４０においては、図５に示すように、複数の接合部４１それぞれの横方向内方端４１１が横方向Ｙにおいて互いに同位置に存しているため、各内方端４１１を結ぶ仮想線ＶＬ１（図５（ａ）参照）が縦方向Ｘに延びる直線となるところ、これにより、比較的硬い部位であるサイドシール部４０によって着用者の肌が刺激される不都合が低減し、さらにおむつ１の適正な着用がより一層確実になされるようになり、これらが相俟っておむつ１の着用感が向上する。
【００３８】
これに対し、例えば図１１に示す従来のサイドシール部９０Ｂにおいては、横方向Ｙの長さが互いに異なる２種類の接合部９１Ａ，９１Ｂが縦方向Ｘに交互に配置されていることに起因して、各接合部９１Ａ，９１Ｂの横方向内方端を結ぶ仮想線ＶＬ１は、縦方向Ｘに延びる直線とはならずにジグザグ線となる。そのため、サイドシール部９０Ｂが可撓性を発現した際にこのジグザグ線ＶＬ１の角が着用者の肌を刺激するおそれがある。また、おむつ１を着用する際には通常、レッグ開口部ＬＨに脚を挿入しておむつ１全体を股間部に引き上げる操作を行うところ、ジグザグ線ＶＬ１の角がこのおむつ引き上げ操作を妨げる引っ掛かりとなるおそれがあり、おむつ１の適正な着用を妨げるおそれがある。前記構成３を具備するサイドシール部４０は、このようなサイドシール部９０Ｂで懸念される不都合が生じ難い。
【００３９】
サイドシール部４０において、複数の接合部４１それぞれの縦方向Ｘの長さ、即ち横方向外方端４１０及び横方向内方端４１１それぞれの長さは、好ましくは０．１ｍｍ以上、さらに好ましくは０．２ｍｍ以上、そして、好ましくは８．０ｍｍ以下、さらに好ましくは４．０ｍｍ以下である。
また、複数の接合部４１それぞれの横方向Ｙの長さは、好ましくは０．１ｍｍ以上、さらに好ましくは０．２ｍｍ以上、そして、好ましくは８．０ｍｍ以下、さらに好ましくは４．０ｍｍ以下である。
縦方向Ｘにおいて隣り合う接合部４１，４１の間隔は、好ましくは０．５ｍｍ以上、さらに好ましくは１ｍｍ以上、そして、好ましくは８ｍｍ以下、さらに好ましくは４ｍｍ以下である。
サイドシール部４０における接合部４０の数は、サイドシール部４０の長手方向（縦方向Ｘ）の単位長さ３０ｍｍ当たり、好ましくは５個以上、さらに好ましくは１０個以上、そして、好ましくは３０個以下、さらに好ましくは１５個以下である。
【００４０】
図６には、サイドシール部４０の接合部４１が採り得る形態が例示されている。複数の接合部４１は、図６（ａ）に示す形態でも良く、あるいは図６（ｂ）に示す形態でも良く、あるいはサイドシール部４０において両形態が混在していても良い。図６（ａ）に示す接合部４１は厚みが均一である。
【００４１】
一方、図６（ｂ）に示す接合部４１は、厚みが均一ではなく、周縁部が肉厚部４２Ｘ，４２Ｙ、該周縁部に囲まれた部分が該周縁部と比較して厚みの薄い肉薄部４３となっている。より具体的には、図６（ｂ）に示す平面視長方形形状の接合部４１は、縦方向Ｘに延びる肉厚部４２Ｘ及び横方向Ｙに延びる一対の肉厚部４２Ｙ，４２Ｙと、これら平面視コ字状の肉厚部に三方を囲まれた平面視長方形形状の肉薄部４３とを含んで構成されている。このように、接合部４１が互いに厚みの異なる肉厚部４２Ｘ，４２Ｙと肉薄部４３とを有していることにより、肉厚部と肉薄部との境界が屈曲の起点となり得るため、接合部４１が屈曲部としてより一層機能しやすくなる。また、接合部４１における、おむつ１の着用中に着用者に最も近接する部位が、肉厚部４２Ｘであることにより、おむつ１の着用中にサイドシール部４０の意図しない剥がれが効果的に防止されると共に、サイドシール部４０の引き裂きやすさが確保されているため、例えば着用しているおむつ１を脱ぐためにサイドシール部４０を引き裂く必要が生じた場合には、これを容易に引き裂くことができる。つまり、図６（ｂ）に示す接合部４１は、サイドシール部４０の可撓性を担保しつつも、実用に耐え得る接合強度と引き裂き容易性とをサイドシール部４０に付与し得る。接合部４１に肉厚部と肉薄部とを設けるには、例えば、接合部４１を形成する際に加工対象に加える圧力、エネルギー等を部分的に異ならせれば良く、斯かる圧力等が相対的に小さい部位が肉薄部、相対的に大きい部位が肉厚部となる。
【００４２】
接合部４１の全面積に占める、肉厚部４２Ｘ，４２Ｙの総面積の割合は、好ましくは１０％以上、さらに好ましくは２０％以上、そして、好ましくは７０％以下、さらに好ましくは５０％以下である。
接合部４１の全面積に占める、肉薄部４３の総面積の割合は、好ましくは４０％以上、さらに好ましくは５０％以上、そして、好ましくは９０％以下、さらに好ましくは８０％以下である。
【００４３】
サイドシール部４０における非接合部４５の厚みに対する、肉厚部４２Ｘ，４２Ｙの厚みの割合は、好ましくは２０％以上、さらに好ましくは４０％以上、そして、好ましくは８０％以下、さらに好ましくは６０％以下である。
サイドシール部４０における非接合部４５の厚みに対する、肉薄部４３の厚みの割合は、好ましくは１％以上、さらに好ましくは２％以上、そして、好ましくは２０％以下、さらに好ましくは１０％以下である。
サイドシール部４０における非接合部４５の厚み、即ちエンボス加工が施されていない部位の厚みは、好ましくは５０μｍ以上、さらに好ましくは１５０μｍ以上、そして、好ましくは６００μｍ以下、さらに好ましくは５００μｍ以下である。
サイドシール部４０の各部の厚みは、１つの接合部を縦方向Ｘの中点を通る横方向Ｙに平行な直線に沿って厚さ方向に切断し、走査型電子顕微鏡（例えば、日本電子株式会社製のＪＣＭ−５１００）を用いて切断面の２５００倍の拡大画像を得ることで測定することができる。
【００４４】
本実施形態のおむつ１においては、サイドシール部４０の複数の接合部４１は、図５に示すように、縦方向Ｘにおいて等間隔で離間し且つ平面視において互いに同形状同寸法である。つまりサイドシール部４０においては、可撓性を発現する屈曲部となる接合部４１が偏在せずに、サイドシール部４０全体に偏りなく均一配置されているため、おむつ１の着用中にサイドシール部４０にかかる種々の外力に対応して、サイドシール部４０が種々の変形を採りやすくなされており、これにより、前述したサイドシール部４０による作用効果がより一層確実に奏されるようになる。
【００４５】
前述したサイドシール部４０による作用効果は、外装体３（腹側外装体３１、背側外装体３２）の影響を少なからず受ける。この点、本実施形態のおむつ１においては、図２及び図４に示す通り、外装体３（腹側外装体３１、背側外装体３２）を構成する外層シート３３と内層シート３４との外装体接合部３６が縦方向Ｘに複数間欠配置されているため、外装体３自体が横方向Ｙに延びる折曲線に沿って縦方向Ｘに折れ曲がりやすい。そのため、サイドシール部４０の可撓性がより一層効果的に発現し得る。
【００４６】
また、本実施形態のおむつ１においては、外層シート３３と内層シート３４との間に伸長状態で固定され横方向Ｙに延びる複数の弾性部材３５が、それぞれ、サイドシール部４０とおむつ１の横方向Ｙの中央即ち仮想中心線ＬＣｙとの間において、両シート３３，３４に対して不連続に接合されているところ、弾性部材３５が両シート３３，３４に対して接合されていない領域は、外装体３の動きの自由度が高いため、外装体３（腹側外装体３１、背側外装体３２）は該領域において特に折れ曲がりやすく、そのため、サイドシール部４０の可撓性がより一層効果的に発現し得る。
【００４７】
尚、本実施形態においては、各弾性部材３５は、その長手方向の両端部及び平面視において吸収性コア２３０と重なる部位の一部においてのみ、外層シート３３及び内層シート３４に対して接合されている。より具体的には、横方向Ｙに伸長状態で配置されている複数本の弾性部材３５は、それぞれ、その長手方向の両端部が位置するサイドシール部４０と、吸収性コア２３０と重なる部位における吸収性コア２３０の縦方向Ｘに沿う両側縁及びその近傍との合計４箇所において、両シート３３，３４に対して接着剤により接合されており、これら４箇所以外では両シート３３，３４に対して非接合となっている。即ち各弾性部材３５は、サイドシール部４０と吸収性コア２３０（吸収性本体２）との間においては他の部材に接合されておらず、両者４０，２３０の間は、外装体３（腹側外装体３１、背側外装体３２）の動きの自由度が特に高い領域となっている。
【００４８】
また、本実施形態のおむつ１においては、図５（ａ）に示すように、各弾性部材３５の長手方向の端部は、サイドシール部４０の外側縁４０Ｓ１と同位置に存しているところ、斯かる構成により、接合部４１での屈曲がより一層確実に起こるようになる。即ち、おむつ１の着用者の動き等に起因して、サイドシール部４０に対してこれを縦方向Ｘに圧縮するような外力が作用した場合には通常、屈曲部として機能し得る接合部４１の横方向Ｙに沿う辺に沿ってサイドシール部４０の屈曲が起こるところ、接合部４１の近傍を横方向Ｙに延びる弾性部材３５が、接合部４１の横方向Ｙに沿う辺（即ち折曲線として機能する辺）と同様に、サイドシール部４０の外側縁４０Ｓ１に達していることで、弾性部材３５による応力が接合部４１全体に及ぶため、接合部４１の屈曲がより一層効果的に誘起される。
【００４９】
また、サイドシール部４０の可撓性がより一層効果的に発現させる観点から、腹側外装体３１及び／又は背側外装体３２におけるサイドシール部４０と縦方向Ｘにおいて同位置に存する部分を縦方向Ｘに３等分した場合、その縦方向Ｘの中央部は、残り２つの部分に比して高応力で横方向に伸びることが好ましい。ここでいう「サイドシール部４０と縦方向Ｘにおいて同位置に存する部分」は、本実施形態においては、腹側外装体３１についてはその全体であり、背側外装体３２については延出部３２Ｅを除いた他の部分である。前記構成１ないし３を具備し可撓性が向上したサイドシール部４０の存在により、腹側外装体３１及び背側外装体３２自体が肌対向面側に折れ曲がりやすくなるため、おむつ１の適正位置での着用と、その適正な着用による適正な機能発現が妨げられることが懸念されるが、前記のように両外装体３１，３２の少なくとも一方、好ましくは両方の縦方向中央部を相対的に高応力で伸びるようにすることで、ウエスト開口部ＷＨの開口が拡がりやすくなるため、斯かる懸念が払拭される。
【００５０】
外装体３（腹側外装体３１、背側外装体３２）における相対的に高応力で伸びる部分及び相対的に低応力で伸びる部分は、例えば、同一材料から形成された複数の弾性部材３５の太さを変えることにより設けることができる。一般に、同一材料から形成された、異なる太さの弾性部材においては、太い弾性部材の伸長応力は、細い弾性部材の伸長応力よりも大きくなるため、太い弾性部材が配された部分は、高応力で伸びる部分となり、細い弾性部材が配された部分は、低応力で伸びる部分となる。従ってこの方法では、腹側外装体３１及び／又は背側外装体３２において、相対的に高応力で伸びる部分である縦方向Ｘの中央部に、相対的に太い弾性部材３５を配置し、相対的に低応力で伸びる部分であるそれ以外の他の部分に、相対的に細い弾性部材３５を配置すれば良い。 尚、ここでいう「弾性部材の太さ」は、弾性部材の非伸長状態における太さをいい、弾性部材が糸状である場合には、その断面の直径で表すものである。
【００５１】
また、複数の弾性部材３５を外層シート３３と内層シート３４との間に伸長状態で配置固定する際に、その伸長状態を複数の弾性部材３５間で均一にせずに異ならせることで、外装体３（腹側外装体３１、背側外装体３２）に相対的に高応力で伸びる部分及び相対的に低応力で伸びる部分を設けることもできる。 この方法では、腹側外装体３１及び／又は背側外装体３２において、相対的に高応力で伸びる部分である縦方向Ｘの中央部には、弾性部材３５を相対的に高伸長率で配置し、相対的に低応力で伸びる部分であるそれ以外の他の部分には、弾性部材３５を相対的に低伸長率で配置すれば良い。
【００５２】
腹側外装体３１又は背側外装体３２において、相対的に高応力で伸びる部分即ち縦方向Ｘの中央部の伸長応力ＨＳと、相対的に低応力で伸びる他の部分の伸長応力ＬＳとの比率は、前者ＨＳ／後者ＬＳとして、好ましくは１．００以上、さらに好ましくは１．２５以上、そして、好ましくは３．００以下、さらに好ましくは２．７５以下である。
腹側外装体３１又は背側外装体３２の相対的に高応力で伸びる部分（縦方向中央部）の伸長応力ＨＳは、好ましくは２ｃＮ以上、さらに好ましくは３ｃＮ以上、そして、好ましくは２０ｃＮ以下、さらに好ましくは１５ｃＮ以下である。
腹側外装体３１又は背側外装体３２の相対的に低応力で伸びる部分（縦方向中央部以外の部分）の伸長応力ＬＳは、好ましくは２ｃＮ以上、さらに好ましくは３ｃＮ以上、そして、好ましくは２０ｃＮ以下、さらに好ましくは１５ｃＮ以下である。
【００５３】
外装体３（腹側外装体３１、背側外装体３２）について以上のような工夫を施すことで、前述したサイドシール部４０による作用効果をより一層確実に発現させることが可能となるが、外装体３以外にもサイドシール部４０の可撓性等に少なからず影響を及ぼす部材があり、斯かる部材についてもサイドシール部４０の可撓性等を考慮した工夫を施すことが好ましい。その工夫の１つとして、サイドシール部４０の積層構造に関するものが挙げられる。
【００５４】
即ち本実施形態のおむつ１においては、図７に示すように、サイドシール部４０は複数の層が積層してなる積層構造を有しているところ、その層の数が縦方向Ｘにおいて部分的に異なる。即ち本実施形態のおむつ１においては、図１及び図２に示すように、腹側外装体３１及び背側外装体３２それぞれにおける、吸収性本体２の縦方向端部２０と縦方向Ｘにおいて同位置にある部分からウエスト開口部ＷＨの近傍にわたる部分に、該部分の横方向Ｙの全長にわたって帯状部材５が配置されているところ、シートの枚数＝層数とした場合に、サイドシール部４０における帯状部材５の配置部分は、両外装体３１，３２それぞれを構成する外層シート３３及び内層シート３４の２枚のシートと両外装体３１，３２それぞれに１枚ずつ配置された帯状部材５とにより、６層構造となっているのに対し、サイドシール部４０における帯状部材５の非配置部分は４層構造となっており、サイドシール部４０を構成する層の数が、サイドシール部４０の延びる方向である縦方向Ｘにおいて部分的に異なる。斯かるシート積層構造を有するサイドシール部４０においては、層数が異なる部分の境界、即ち帯状部材５の配置部分と非配置部分との境界が剛性の変化点となるため、この境界がサイドシール部４０の折れ曲がりの起点となり、サイドシール部４０の可撓性の発現に寄与し得る。
【００５５】
このサイドシール部４０の折れ曲がりの起点となり得る、サイドシール部４０を構成する層数の変化点、本実施形態においては帯状部材５の配置部分と非配置部分との境界は、サイドシール部４０即ち腹側外装体３１の側縁部３１Ｓ又は背側外装体３２の側縁部３２Ｓを縦方向Ｘに二分して横方向Ｙに延びる仮想直線ＶＬ２（図２参照）を基準として、該基準ＶＬ２よりもウエスト開口部ＷＨ寄りに少なくとも１つ位置していることが好ましい。これにより、おむつ１の着用者の股下体型にもよるが、前記層数の変化点が概ね、着用者の足のつけ根に相当する部位又はその付近に位置するため、着用者の活動、特に、開脚のような脚部周囲の変形量が大きい活動に対して、効果的におむつ１の可撓性が向上し得る。
【００５６】
また、サイドシール部４０の可撓性等を考慮した工夫の他の１つとして、吸収性コア２３０の背側外装体３２と重なる領域の坪量を、吸収性コア２３０の他の領域の坪量に比して小さくすることが挙げられる。即ち、吸収性コア２３０は、腹側が背側に比して相対的に坪量の大きい偏在吸収性コアであることが好ましい。一般に、吸収性コア２３０において背側に配される部位は、腹側に配される部位に比して、着用者の屈伸等の動きの影響を受けやすく変形量が大きいところ、吸収性コア２３０の背側外装体３２と重なる領域が吸収性コア２３０の他の領域に比して坪量が小さいことにより、サイドシール部４０の可撓性の向上に繋がり得る。
【００５７】
吸収性コア２３０において、背側外装体３２と重なる領域の坪量ＬＷと、それ以外の他の領域の坪量ＨＷとの比率は、前者ＬＷ／後者ＨＷとして、好ましくは０．３以上、さらに好ましくは０．５以上、そして、好ましくは０．９以下、さらに好ましくは０．７以下である。
吸収性コア２３０における背側外装体３２と重なる領域の坪量ＬＷは、好ましくは１００ｇ／ｍ2以上、さらに好ましくは２００ｇ／ｍ2以上、そして、好ましくは７００ｇ／ｍ2以下、さらに好ましくは６００ｇ／ｍ2以下である。
吸収性コア２３０における背側外装体３２と重なる領域以外の他の領域の坪量ＨＷは、好ましくは１００ｇ／ｍ2以上、さらに好ましくは２００ｇ／ｍ2以上、そして、好ましくは７００ｇ／ｍ2以下、さらに好ましくは６００ｇ／ｍ2以下である。
【００５８】
以下、本発明の他の実施形態について図８及び図９を参照して説明する。後述する他の実施形態については、前記実施形態と異なる構成部分を主として説明し、同様の構成部分は同一の符号を付して説明を省略する。特に説明しない構成部分は、前記実施形態の説明が適宜適用される。
【００５９】
前記実施形態におけるサイドシール部４０はその長手方向（縦方向Ｘ）の全長にわたって連続していたが、複数の接合部４１の一部又は全部が破断していることで、長手方向（縦方向Ｘ）において不連続であっても良い。図８に示すサイドシール部４０Ａは、この不連続なサイドシール部の一例である。サイドシール部４０Ａにおいては、複数の接合部４１の全部が破断部４４を有しているところ、各破断部４４の横方向Ｙの一端（横方向外方端）が、サイドシール部４０の外側縁４０Ｓ１と一致している。接合部４１にこのような破断部４４が存在することにより、サイドシール部４０Ａにおける、破断部４４を挟んで縦方向Ｘの両側に位置する部分の動きの自由度が増すため、サイドシール部４０の可撓性がより一層向上し得る。破断部４４は、例えば、接合部４１を形成する際に加工対象に加える圧力、エネルギー等を高めることで意図的に形成することができる。また例えば、図６（ｂ）に示す接合部４１の如き、肉薄部４３を有する接合部を採用した場合に、その肉薄部４３が意図せずに破断することによって破断部４４が形成される場合もあり得る。
【００６０】
図９には、図８に示すサイドシール部４０Ａの接合部４１が採り得る形態が例示されている。図９（ａ）に示す接合部４１は、図６（ｂ）に示す接合部４１から肉薄部４３が完全に欠損したものと同一構成を有するもので、破断部４４は平面視コ字状の肉厚部４２Ｘ，４２Ｙに三方を囲まれている。また、図９（ｂ）に示す接合部４１は、図６（ｂ）に示す接合部４１における肉薄部４３の一部が横方向Ｙに破断して形成された破断部４４を有している。つまり、図９（ｂ）に示す接合部４１における破断部４４は、肉薄部４３に三方を囲まれている。図９（ａ）及び図９（ｂ）に示す接合部４１は、何れもその破断部４４が、平面視コ字状の肉厚部４２Ｘ，４２Ｙに包囲された領域に存し且つサイドシール部４０の外側縁４０Ｓ１から横方向Ｙの内方に向かって延びているところ、このような破断部４４を有する接合部４１が複数配置されたサイドシール部４０Ａは、特に、外装体３（腹側外装体３１、背側外装体３２）の面方向の可撓性が向上し得る。
【００６１】
接合部４１の縦方向Ｘの長さに対する、破断部４４の同方向Ｘの長さの割合は、好ましくは１０％以上、さらに好ましくは３０％以上、そして、好ましくは９０％以下、さらに好ましくは７０％以下である。
接合部４１の横方向Ｙの長さに対する、破断部４４の同方向Ｙの長さの割合は、好ましくは１０％以上、さらに好ましくは３０％以上、そして、好ましくは９０％以下、さらに好ましくは７０％以下である。
【００６２】
以上、本発明の実施形態について説明したが、本発明は前記実施形態に制限されず、適宜変更可能である。例えば前記実施形態においては、腹側外装体３１と背側外装体３２とで縦方向Ｘの長さが異なっていたが、両者の縦方向Ｘの長さは同じでも良い。また前記実施形態においては、外装体３が腹側外装体３１と背側外装体３２とに分割されており、吸収性本体２が両シート部材３１，３２に架け渡して固定されていたが、本発明のパンツ型着用物品は、斯かる構成に限定されず、例えば、外装体が、腹側部と背側部とで分割されずに、腹側部、股下部及び背側部に亘る砂時計状等の外装体であっても良い。前述した一の実施形態のみが有する部分は、すべて適宜相互に利用できる。
【符号の説明】
【００６３】
１  パンツ型使い捨ておむつ（パンツ型吸収性物品）
２  吸収性本体
２１  表面シート
２２  裏面シート
２３  吸収体
２４  防漏カフ
３  外装体
３１，８１  腹側外装体
３１Ｓ  腹側外装体の側縁
３２，８２  背側外装体
３２Ｓ  背側外装体の側縁
３２Ｅ  背側外装体の延出部
３３  外層シート
３４  内層シート
３５，８５  外装体形成用弾性部材
３６  外層シートと内層シートとの外装体接合部
３７  襞
４０，４０Ａ，９０Ａ，９０Ｂ  サイドシール部
４０Ｓ１  サイドシール部の外側縁
４０Ｓ２  サイドシール部の内側縁
４１，９１，９１Ａ，９１Ｂ  腹側外装体と背側外装体との接合部
４１０  接合部の横方向外方端
４１１  接合部の横方向内方端
４２Ｘ，４２Ｙ  接合部の肉厚部
４３  接合部の肉薄部
４４  破断部
５  帯状部材
１Ｆ  腹側部
１Ｍ  股下部
１Ｒ  背側部
ＷＨ  ウエスト開口部
ＬＨ  レッグ開口部
ＬＣｙ  仮想中心線（吸収性物品の横方向中央位置）
Ｘ  縦方向
Ｙ  横方向
【図１】
0006697284.tif 000002
【図２】
0006697284.tif 000003
【図３】
0006697284.tif 000004
【図４】
0006697284.tif 000005
【図５】
0006697284.tif 000006
【図６】
0006697284.tif 000007
【図７】
0006697284.tif 000008
【図８】
0006697284.tif 000009
【図９】
0006697284.tif 000010
【図１０】
0006697284.tif 000011
【図１１】
0006697284.tif 000012